(57)【要約】      （修正有）【課題】同じ指による把持部のロック解除操作部及び隣接する他の操作部の操作性を損なうことなく、部品点数を削減して低コスト化を実現し、各操作部の誤操作を防止する。【解決手段】カメラ本体に対して回転可能に設けられた把持部１０５と、把持部１０５の内部で把持部１０５と一体に回転可能に設けられ、把持部１０５を所定回転角度でロックするロック位置とロックを解除する解除位置との間で回動するロック部材３０２と、ロック部材３０２をロック位置に向けて付勢するバネ部材３０４と、ロック部材３０２に一体に設けられて、把持部１０５の外装の開口から突出して配置され、ロック部材３０２をバネ部材３０４の付勢力に抗して解除位置に回動させる操作が可能な操作ノブ３０５と、操作ノブ３０５に隣接して把持部１０５に設けられる録画開始／停止ボタン１０７とを備え、操作ノブ３０５と録画開始／停止ボタン１０７との操作方向が互いに異なる。【選択図】図４
2015179941.tif 000002
【特許請求の範囲】
【請求項１】
装置本体と、
前記装置本体に対して回転可能に設けられ、ユーザが把持する把持部と、
前記把持部の内部で前記把持部と一体に回転可能に設けられ、前記把持部を所定回転角度でロックするロック位置と前記把持部のロックを解除するロック解除位置との間で回動するロック部材と、
前記ロック部材を前記ロック位置に向けて付勢する付勢部材と、
前記ロック部材に一体に設けられて、前記把持部の外装に形成された開口部から突出して配置され、前記ロック部材を前記付勢部材の付勢力に抗して前記ロック解除位置に回動させる操作が可能なロック解除操作部と、
前記ロック解除操作部に隣接して前記把持部に設けられる他の操作部と、を備え、
前記ロック解除操作部と前記他の操作部との操作方向が互いに異なることを特徴とする撮像装置。
【請求項２】
前記ロック解除操作部は、前記ロック部材が前記ロック位置に回動したときと前記ロック部材が前記ロック解除位置に回動したときとで、前記開口部からの突出量が変化することを特徴とする請求項１に記載の撮像装置。
【請求項３】
前記ロック解除操作部は、前記ロック部材が前記ロック位置に回動したときより前記ロック部材が前記ロック解除位置に回動したときのほうが、前記開口部からの突出量が少ないことを特徴とする請求項２に記載の撮像装置。
【請求項４】
前記ロック解除操作部、及び前記他の操作部は、同じ指で操作可能であることを特徴とする請求項１乃至３のいずれか一項に記載の撮像装置。
【請求項５】
前記把持部は、前記装置本体に対して所定角度ごとに回転可能とされ、
前記把持部の内部には、前記装置本体に固定されて、前記把持部が前記所定角度ごとに回転した位置で前記ロック部材が係脱可能に係合して前記把持部がロックされる状態にする複数の係合部を有する係合部材が設けられることを特徴とする 請求項１乃至４のいずれか一項に記載の撮像装置。
【請求項６】
前記他の操作部は、撮影開始／停止操作、及び電源オン／オフ操作のいずれかを行う操作部であることを特徴とする請求項１乃至５のいずれか一項に記載の撮像装置。
【発明の詳細な説明】
【技術分野】
【０００１】
本発明は、例えばデジタルカメラやデジタルビデオカメラ等の撮像装置に関する。
【背景技術】
【０００２】
デジタルビデオカメラ等では、撮影時等にユーザが把持する把持部をカメラ本体に対して回転可能に構成したものがある（特許文献１）。また、カメラ本体に対して把持部を所定角度ごとに回転可能かつ所定回転角度でロック可能に構成したデジタルビデオカメラが提案されている（非特許文献１）。この提案では、ユーザがロック解除ボタンを把持部の把持面に対して垂直方向に押圧操作することで、把持部のロックが解除されて、把持部の回転が可能となる。
【先行技術文献】
【特許文献】
【０００３】
【特許文献１】特開２００５−２１８０５０号公報
【非特許文献】
【０００４】
【非特許文献１】SONY  2011年１月発行  XDCAM  EXシリーズカタログ
【発明の概要】
【発明が解決しようとする課題】
【０００５】
しかし、上記非特許文献１では、ロック解除ボタンの押圧操作方向が撮影の開始／停止ボタンの押圧操作方向と同じ方向であるため、誤操作を招きやすい問題がある。
【０００６】
また、誤操作を防止するために、ロック解除ボタンと撮影の開始／停止ボタンと離して配置すると、同じ指での操作を前提としているにもかかわらず、操作しにくくなる問題がある。
【０００７】
更に、ロック解除ボタンの押圧操作をロック部材の回転動作に変換してロック解除を行っているため、変換用のリンク機構を設ける必要が生じ、部品点数の増加によるコスト高を招く問題がある。
【０００８】
そこで、本発明は、同じ指による把持部のロック解除操作部及び隣接する他の操作部の操作性を損なうことなく、部品点数を削減して低コスト化を実現し、更に、各操作部の誤操作を防止する仕組みを提供することを目的とする。
【課題を解決するための手段】
【０００９】
上記目的を達成するために、本発明の撮像装置は、装置本体と、前記装置本体に対して回転可能に設けられ、ユーザが把持する把持部と、前記把持部の内部で前記把持部と一体に回転可能に設けられ、前記把持部を所定回転角度でロックするロック位置と前記把持部のロックを解除するロック解除位置との間で回動するロック部材と、前記ロック部材を前記ロック位置に向けて付勢する付勢部材と、前記ロック部材に一体に設けられて、前記把持部の外装に形成された開口部から突出して配置され、前記ロック部材を前記付勢部材の付勢力に抗して前記ロック解除位置に回動させる操作が可能なロック解除操作部と、前記ロック解除操作部に隣接して前記把持部に設けられる他の操作部と、を備え、前記ロック解除操作部と前記他の操作部との操作方向が互いに異なることを特徴とする。
【発明の効果】
【００１０】
本発明によれば、同じ指による把持部のロック解除操作部及び隣接する他の操作部の操作性を損なうことなく、部品点数を削減して低コスト化を実現し、更に、各操作部の誤操作を防止することが可能となる。
【図面の簡単な説明】
【００１１】
【図１】（ａ）は本発明の撮像装置の実施形態の一例であるデジタルビデオカメラを背面側から見た斜視図、（ｂ）は（ａ）に示すデジタルビデオカメラの把持部を回転させた状態を示す斜視図である。
【図２】（ａ）は図１（ａ）の状態で把持部の外装カバーを取り外した状態を示す斜視図、（ｂ）は図１（ｂ）の状態で把持部の外装カバーを取り外した状態を示す斜視図である。
【図３】（ａ）はデジタルビデオカメラの使用状態を示す斜視図、（ｂ）は（ａ）の状態での把持部を背面側から見た図である。
【図４】（ａ）は把持部の回転がロックされた状態での図３（ｂ）のＡ−Ａ線断面図、（ｂ）は把持部の回転のロックが解除された状態での図３（ｂ）のＡ−Ａ線断面図である。
【図５】（ａ）は図４（ｂ）に示すロック解除状態から把持部を図の時計回り方向に９０°回転させた状態を示す断面図、（ｂ）は（ａ）に示す回転位置で把持部がロックされた状態を示す断面図である。
【図６】（ａ）は把持部がロックされた状態での操作ノブの周辺の模式図、（ｂ）は把持部のロックが解除された状態での操作ノブの周辺の模式図である。
【図７】（ａ）はロック機構の外観斜視図、（ｂ）は（ａ）に示すロック機構の分解斜視図である。
【発明を実施するための形態】
【００１２】
以下、図面を参照して、本発明の実施形態の一例を説明する。
【００１３】
図１（ａ）は本発明の撮像装置の実施形態の一例であるデジタルビデオカメラを背面側から見た斜視図、図１（ｂ）は図１（ａ）に示すデジタルビデオカメラの把持部を回転させた状態を示す斜視図である。
【００１４】
図１に示すように、本実施形態のデジタルビデオカメラ１０１は、カメラ本体１０４の正面側（被写体側側）にレンズ鏡筒１０３が設けられ、カメラ本体１０４の背面側には、ビューファインダ１０２が設けられる。カメラ本体１０４を背面側から見て右側の側部には、撮影時等にユーザが把持する把持部１０５が設けられている。カメラ本体１０４は、本発明の装置本体の一例に相当する。
【００１５】
把持部１０５は、カメラ本体１０４を背面側から見て右側の側部に対して直交する回転軸を中心に所定角度ごとに回転可能かつ所定回転角度でロック可能に構成されている。把持部１０５には、ロック解除用の操作ノブ３０５及び録画開始／停止ボタン１０７が互いに隣接して設けられている。操作ノブ３０５は、本発明のロック解除操作部の一例として機能し、録画開始／停止ボタン１０７は、本発明の他の操作部及び撮影開始／停止操作部の一例として機能する。
【００１６】
録画開始／停止ボタン１０７は、図１（ａ）の状態で背面側から正面側に押し込むことで、カメラ本体１０４内の制御回路に対して録画開始／停止を指示する。
【００１７】
操作ノブ３０５の操作方向については後述するが、操作ノブ３０５を操作することで、把持部１０５のロックが解除される。これにより、把持部１０５をカメラ本体１０４に対して図１（ａ）に示す状態から例えば図１（ｂ）に示す状態まで回転させることができる。  図２（ａ）は図１（ａ）の状態で把持部１０５の外装カバーを取り外した状態を示す斜視図、図２（ｂ）は図１（ｂ）の状態で把持部１０５の外装カバーを取り外した状態を示す斜視図である。
【００１８】
図２に示すように、カメラ本体１０４の把持部１０５の回転支持部には、ギア部材１０８が固定されている。このギア部材１０８と、把持部１０５の内部で把持部１０５とともに回転するロック部材３０２及び後述するバネ部材３０４とにより、把持部１０５のロック機構１０９が形成される。ロック機構１０９の詳細については、後述する。
【００１９】
図３（ａ）は、デジタルビデオカメラ１０１の使用状態を示す斜視図である。図３（ｂ）は、図３（ａ）の状態での把持部１０５を背面側から見た図である。
【００２０】
図３（ａ）に示すように、デジタルビデオカメラ１０１は、カメラ本体１０４の把持部１０５をユーザが右手２０１で把持して使用される。また、操作ノブ３０５及び録画開始／停止ボタン１０７は、ユーザの右手２０１の親指２０２で操作可能な位置に配置されている。
【００２１】
図３（ｂ）に示すように、ユーザが把持部１０５を把持した状態で右手２０１の親指２０２先端で操作ノブ３０５及び録画開始／停止ボタン１０７を操作可能な範囲２０３は、親指２０２の付け根２０４を中心とした扇形範囲（一点鎖線で示す）となる。また、親指２０２先端で操作ノブ３０５及び録画開始／停止ボタン１０７を操作するのに無理がない範囲２０５は、操作可能な範囲２０３の中央付近の限られた範囲（二点鎖線で示す）となる。
【００２２】
同じ指で操作するのに無理がない範囲２０５内に同じ操作方向の操作部が共存してしまうと、誤操作の懸念がある。録画開始／停止ボタン１０７のように、デジタルビデオカメラ１０１の操作部で中でも録画機能に対して最も重要な操作部を誤操作することは避けなければならない。
【００２３】
次に、図４及び図７を参照して、操作ノブ３０５の操作及びロック機構１０９について説明する。
【００２４】
図４（ａ）は、把持部１０５の回転がロックされた状態での図３（ｂ）のＡ−Ａ線断面図である。図４（ｂ）は、把持部１０５の回転のロックが解除された状態での図３（ｂ）のＡ−Ａ線断面図である。
【００２５】
図４に示すように、ロック機構１０９は、固定配置されたギア部材１０８を有し、ギア部材１０８には、周方向に略等間隔（例えば、図では１５°間隔）で複数のギア歯３０１が設けられている。ギア歯３０１には、把持部１０５の内部で回動軸３０３を中心に回動するロック部材３０２が係脱可能に係合する。ロック部材３０２には、ロック部材３０２をギア歯３０１に係合する方向に付勢するバネ部材３０４が設けられている。ギア部材１０８は、本発明の係合部材の一例として機能し、ギア歯３０１は、本発明の係合部の一例として機能する。また、バネ部材３０４は、本発明の付勢部材の一例として機能する。
【００２６】
ロック部材３０２は、ギア歯３０１から離間して把持部１０５の回転のロックを解除する位置（図４（ｂ））と、バネ部材３０４の付勢力によりギア歯３０１に係合して把持部１０５の回転をロックする位置（図４（ａ））との間で回動可能に設けられている。ロック部材３０２には、操作ノブ３０５が一体に固定されている。
【００２７】
操作ノブ３０５は、把持部１０５の外装カバー３０６から突出して外部から操作可能に配置される。ロック部材３０２による把持部１０５の回転のロックを解除するためには、ユーザは、親指２０２（図３参照）先端で操作ノブ３０５に対してバネ部材３０４の付勢力に抗して図４（ａ）の矢印３０７方向に力を加える。この矢印３０７の操作方向は、ロック部材３０２の回動軸３０３を中心とした操作ノブ３０５の回転軌跡３０８の接線方向である。
【００２８】
操作ノブ３０５の外装カバー３０６の開口部からの突出量は、図４（ａ）に示すロック位置より図４（ｂ）に示すロック解除位置のほうが少ない。このため、ユーザは、操作ノブ３０５を回動軸３０３を中心に回動操作しているものの、外装カバー３０６からの突出量が徐々に減るため、軸方向に押し込む押し込みボタンのような操作感を得ることが可能になる。
【００２９】
操作ノブ３０５の操作方向は、図４（ａ）に示す矢印３０７から図４（ｂ）に示す矢印３０９へと徐々に変化するが、録画開始／停止ボタン１０７の操作方向３１０とは異なっている。そのため、ユーザが誤ってロック部材３０２の操作ノブ３０５を録画開始／停止ボタン１０７の操作方向３１０には押し込むことができないため、誤操作されることがない。
【００３０】
図５（ａ）は、図４（ｂ）に示すロック解除状態から把持部１０５を図の時計回り方向に９０°回転させた状態を示す断面図である。図５（ｂ）は、図５（ａ）に示す回転位置で把持部１０５がロックされた状態を示す断面図である。
【００３１】
図４（ｂ）に示すロック部材３０２のロック解除位置でカメラ本体１０４に対して把持部１０５が相対的に回転可能になり、ユーザが把持部１０５を回転させることで、図５（ａ）に示す状態となる。この状態で、ユーザが操作ノブ３０５にかけていた親指２０２を離すと、バネ部材３０４の付勢力によりロック部材３０２がギア歯３０１に係合する方向に回動してギア歯３０１に係合する。これにより、図５（ｂ）に示すように、カメラ本体１０４に対して把持部１０５がロックされた状態になる。
【００３２】
次に、図６を参照して、操作ノブ３０５の形状について説明する。図６（ａ）は把持部１０５がロックされた状態での操作ノブ３０５の周辺の模式図、図６（ｂ）は把持部１０５のロックが解除された状態での操作ノブ３０５の周辺の模式図である。
【００３３】
図６に示すように、操作ノブ３０５は、ユーザの親指２０２で矢印３０７の操作方向に押し込み可能な押し込み面４０１と、押し込み面４０１に対して押し込み方向に連続して設けられて、押し込み面４０１より突出する突起部４０２とを有する。
【００３４】
把持部１０５がロックされた状態では、突起部４０２は、外装カバー３０６の開口部４０３から突出して配置される。ロック部材３０２のロック解除位置まで操作ノブ３０５をバネ部材３０４の付勢力に抗して回動操作（押し込み操作）すると、突起部４０２は、外装カバー３０６の最表面と略同一面に配置される。これにより、前述したように、軸方向に押し込む押し込みボタンのような操作感を得ることが可能になる。
【００３５】
図７（ａ）はロック機構１０９の外観斜視図、図７（ｂ）は図７（ａ）に示すロック機構１０９の分解斜視図である。
【００３６】
操作ノブ３０５は、ロック部材３０２と一体に回動動作するために、図７に示すように、ビス５０１によってロック部材３０２に締結されている。このように、把持部１０５のロック解除に必要とする部材がロック部材３０２、操作ノブ３０５及びバネ部材３０４ですむため、ロック部材３０２の回動動作を押し込み操作に変換するリンク機構や操作ノブ専用の付勢バネなどが不要となる。これにより、部品点数が削減され、また、操作回数増加による摩耗等の発生個所が少なくなるため、信頼性の高いロック機構を実現することが可能となる。
【００３７】
以上説明したように、本実施形態では、同じ指２０２による操作ノブ３０５及び撮影開始／停止ボタン１０７の操作性を損なうことなく、部品点数を削減して低コスト化を実現することができ、更に、各操作部の誤操作を防止することができる。
【００３８】
なお、本発明の構成は、上記実施形態に例示したものに限定されるものではなく、材質、形状、寸法、形態、数、配置箇所等は、本発明の要旨を逸脱しない範囲において適宜変更可能である。
【００３９】
例えば、上記実施形態では、ロック部材３０２と操作ノブ３０５とを別部材で構成した場合を例示したが、これに限定されず、ロック部材３０２をユーザが外部から操作可能な形状にしてロック部材３０２と操作ノブ３０５とを一つの部材で構成してもよい。
【００４０】
また、上記実施形態では、他の操作部として、録画開始／停止ボタン１０７を例示したが、これに限定されず、例えば、電源オン／オフ操作ボタン等であってもよい。
【符号の説明】
【００４１】
１０１  デジタルビデオカメラ
１０４  カメラ本体
１０５  把持部
１０７  録画開始／停止ボタン
１０８  ギア部材
１０９  ロック機構
３０２  ロック部材
３０４  バネ部材
３０５  操作ノブ
３０６  外装カバー
【図１】
2015179941.tif 000003
【図２】
2015179941.tif 000004
【図３】
2015179941.tif 000005
【図４】
2015179941.tif 000006
【図５】
2015179941.tif 000007
【図６】
2015179941.tif 000008
【図７】
2015179941.tif 000009